Podtech/llm-jp-corpus-v4-ja_patent huggingface dataset:
【手続補正書】
【提出日】令和2年7月17日(2020.7.17)
【手続補正１】
【補正対象書類名】特許請求の範囲
【補正対象項目名】全文
【補正方法】変更
【補正の内容】
【特許請求の範囲】
【請求項１】
遊技を行う遊技機において、
一単位の遊技である単位遊技毎に特定決定を含む複数種類の決定のうちから何れかの決定を行うことが可能な事前決定手段と、
前記特定決定が行われたことに基づいて、遊技者にとって有利な有利状態に制御するか否かを決定可能な有利状態決定手段と、
前記特定決定が行われたことに基づいて、前記有利状態決定手段が前記有利状態に制御する決定を行う割合を変更可能な割合変更手段と、
前記特定決定が行われたことに基づいて、特定画像を表示する特定画像表示手段と、
前記特定決定が行われてから所定回数の単位遊技が行われる前に前記特定決定が再度行われたことに基づいて、該特定画像の表示態様を変更する表示態様変更手段とを備え、
前記特定決定が行われる割合は、分子を１としたときに分母が前記所定回数よりも大きな数値となる割合であり、
前記特定決定が行われたことに基づいて前記有利状態に制御する旨の決定が行われなかった後、前記所定回数の単位遊技が行われる前に前記特定決定が再度行われたことに基づいて前記有利状態に制御する旨の決定が行われた場合、最初の前記特定決定が行われた単位遊技から前記所定回数の単位遊技が行われたときに前記有利状態に制御可能である、遊技機。
【手続補正２】
【補正対象書類名】明細書
【補正対象項目名】０００７
【補正方法】変更
【補正の内容】
【０００７】
（Ａ）遊技を行う遊技機において、
一単位の遊技である単位遊技毎に特定決定を含む複数種類の決定のうちから何れかの決定を行うことが可能な事前決定手段と、
前記特定決定が行われたことに基づいて、遊技者にとって有利な有利状態に制御するか否かを決定可能な有利状態決定手段と、
前記特定決定が行われたことに基づいて、前記有利状態決定手段が前記有利状態に制御する決定を行う割合を変更可能な割合変更手段と、
前記特定決定が行われたことに基づいて、特定画像を表示する特定画像表示手段と、
前記特定決定が行われてから所定回数の単位遊技が行われる前に前記特定決定が再度行われたことに基づいて、該特定画像の表示態様を変更する表示態様変更手段とを備え、
前記特定決定が行われる割合は、分子を１としたときに分母が前記所定回数よりも大きな数値となる割合であり、
前記特定決定が行われたことに基づいて前記有利状態に制御する旨の決定が行われなかった後、前記所定回数の単位遊技が行われる前に前記特定決定が再度行われたことに基づいて前記有利状態に制御する旨の決定が行われた場合、最初の前記特定決定が行われた単位遊技から前記所定回数の単位遊技が行われたときに前記有利状態に制御可能である。
（１）遊技を行う遊技機（例えば、スロットマシン１、パチンコ遊技機）において、
特定決定（例えば、チェリー内部当選）を行うことが可能な特定決定手段（例えば、メ
イン制御部４１が実行する内部抽選処理）と、
前記特定決定が行われたことに基づいて、遊技者にとって有利な有利状態（例えば、Ａ
ＲＴ）に制御するか否かを決定可能な有利状態決定手段（例えば、メイン制御部４１が実
行するステップＳ１０１〜Ｓ１０６の処理）と、
前記特定決定が行われたことに基づいて、前記有利状態決定手段が前記有利状態に制御
する決定を行う割合（例えば、ＡＲＴ当選率）を変更可能な割合変更手段（例えば、メイ
ン制御部４１が実行するステップＳ１０２の処理においてチェリー当選回数カウンタの値
に応じたＡＲＴ当選率が設定されているＡＲＴ抽選テーブルを用いてＡＲＴの抽選を行う
処理）と、
前記特定決定が行われたことに基づいて、特定演出を実行する特定演出実行手段（例え
ば、サブ制御部９１が実行するステップＳ２００〜Ｓ２１１の処理）と、
前記特定演出を実行している所定期間（例えば、前回のチェリー内部当選から１０ゲー
ム）中に前記特定決定が行われたことに基づいて、該特定演出の演出態様を変更する演出
態様変更手段（例えば、サブ制御部９１が実行するステップＳ２０５、Ｓ２０６の処理）
とを備え、
前記特定演出の演出態様を変更することにより、前記有利状態に制御する決定が行われ
た旨と、前記有利状態に制御する決定を行う割合が変更された旨との少なくとも一方を示
唆する（例えば、サブ制御部９１が表示している背景画像を特別背景画像に更新すること
でＡＲＴに当選してＡＲＴ準備状態になっている旨と、ＡＲＴ当選率が高くなった旨との
少なくとも一方を示唆する）。
【手続補正書】
【提出日】令和2年7月17日(2020.7.17)
【手続補正１】
【補正対象書類名】特許請求の範囲
【補正対象項目名】全文
【補正方法】変更
【補正の内容】
【特許請求の範囲】
【請求項１】
遊技を行う遊技機において、
特定状態に制御する特定状態制御手段と、
前記特定状態に制御されているとき、遊技者にとって有利な状況になるか否かを決定する有利状況決定手段と、
前記特定状態に制御されているとき、前記有利な状況になる決定がなされたことを示唆可能な特定演出を実行する特定演出実行手段とを備え、
前記特定状態において前記特定演出が実行されるタイミングには、該特定演出の実行後も該特定状態の制御が継続する第１タイミングと、該特定演出の実行後に該特定状態の制御が終了する第２タイミングとが少なくとも含まれ、
前記特定演出は、第１演出ステップと、該第１演出ステップよりも後の第２演出ステップとを少なくとも含む複数段階の演出ステップで進行可能な演出であり、
前記特定演出の示唆態様には、前記第１演出ステップにおいて前記有利な状況にならないことを示唆する第１示唆態様と、前記第２演出ステップにおいて前記有利な状況にならないことを示唆する第２示唆態様と、前記第２演出ステップにおいて前記有利な状況になることを示唆する第３示唆態様とが少なくとも含まれ、
前記第１タイミングに前記有利な状況にならない決定がなされており前記特定演出を実行するときに、前記第２タイミングに前記有利な状況にならない決定がなされており前記特定演出を実行するときよりも高い割合で前記第１示唆態様の前記特定演出を実行し、
前記第１演出ステップまでに複数種類の演出態様のいずれかで演出を実行可能であり、
前記第１演出ステップまでに実行される演出の演出態様に応じて、前記第１演出ステップ以降の演出ステップへ特定演出が進行する割合が異なる、遊技機。
【手続補正２】
【補正対象書類名】明細書
【補正対象項目名】０００７
【補正方法】変更
【補正の内容】
【０００７】
（１）上記目的を達成するため、本発明の第１の観点における遊技機は、
遊技を行う遊技機（例えば、スロットマシン１、パチンコ遊技機）において、
特定状態（例えば、ＡＲＴ）に制御する特定状態制御手段（例えば、メイン制御部４１
がステップＳ１０４〜Ｓ１０６、Ｓ１５０〜Ｓ１５６の処理を実行してＡＲＴに制御する
処理）と、
前記特定状態に制御されているとき、遊技者にとって有利な状況（例えば、ＡＲＴのゲ
ーム数上乗せ当選）になるか否かを決定する有利状況決定手段（例えば、メイン制御部４
１が実行するＡＲＴのゲーム数上乗せ抽選処理）と、
前記特定状態に制御されているとき、前記有利な状況になる決定がなされたことを示唆
可能な特定演出（例えば、バトル演出）を実行する特定演出実行手段（例えば、サブ制御
部９１が実行するステップＳ３０１〜Ｓ３０７、Ｓ３５１〜Ｓ３６０の処理）とを備え、
前記特定状態において前記特定演出が実行されるタイミングには、該特定演出の実行後
も該特定状態の制御が継続する第１タイミング（例えば、ＡＲＴが残り１０ゲームから残
り２ゲームまでのとき）と、該特定演出の実行後に該特定状態の制御が終了する第２タイ
ミング（例えば、ＡＲＴが残り１ゲームのとき）とが少なくとも含まれ、
前記特定演出は、第１演出ステップ（例えば、第１停止操作の受付後や第２停止操作の
受付後）と、該第１演出ステップよりも後の第２演出ステップ（例えば、第３停止操作の
受付後）とを少なくとも含む複数段階の演出ステップで進行可能な演出であり（例えば、
バトル演出がスタートスイッチ７の操作の受付後から第３停止操作の受付後まで複数段階
の演出ステップで進行可能な演出であり）、
前記特定演出の示唆態様には、前記第１演出ステップにおいて前記有利な状況にならな
いことを示唆する第１示唆態様（例えば、「バトル演出（敗北１Ａ）」、「バトル演出（
敗北１Ｂ）」、「バトル演出（敗北２Ａ）」、「バトル演出（敗北２Ｂ）」の演出パター
ン）と、前記第２演出ステップにおいて前記有利な状況にならないことを示唆する第２示
唆態様（例えば、「バトル演出（敗北３Ａ）」、「バトル演出（敗北３Ｂ）」の演出パタ
ーン）と、前記第２演出ステップにおいて前記有利な状況になることを示唆する第３示唆
態様（例えば、「バトル演出（勝利Ａ）」、「バトル演出（勝利Ｂ）」の演出パターン）
とが少なくとも含まれ、
前記第１タイミングに前記有利な状況にならない決定がなされており前記特定演出を実
行するときに、前記第２タイミングに前記有利な状況にならない決定がなされており前記
特定演出を実行するときよりも高い割合で前記第１示唆態様の前記特定演出を実行し（
例えば、サブ制御部９１がステップＳ３０１〜Ｓ３０７、Ｓ３５１〜Ｓ３６０の処理を実
行し、ＡＲＴのゲーム数上乗せ抽選に当選していない場合、ＡＲＴが残り１０ゲームから
残り２ゲームまでのときに図１１（Ｂ）に示す第１非当選時選択テーブルを用いて演出パ
ターンを選択し、ＡＲＴが残り１ゲームのときにのみ図１１（Ｃ）に示す第２非当選時選
択テーブルを用いて演出パターンを選択しており、ＡＲＴが残り１０ゲームから残り２ゲ
ームまでのときにＡＲＴが残り１ゲームのときよりも高い割合で「バトル演出（敗北１Ａ
）」、「バトル演出（敗北１Ｂ）」、「バトル演出（敗北２Ａ）」、「バトル演出（敗北
２Ｂ）」の演出ステップを選択してバトル演出を実行する）、
前記第１演出ステップまでに複数種類の演出態様のいずれかで演出を実行可能であり、
前記第１演出ステップまでに実行される演出の演出態様に応じて、前記第１演出ステップ以降の演出ステップへ特定演出が進行する割合が異なる。
【手続補正書】
【提出日】令和1年12月3日(2019.12.3)
【手続補正１】
【補正対象書類名】特許請求の範囲
【補正対象項目名】全文
【補正方法】変更
【補正の内容】
【特許請求の範囲】
【請求項１】
判定条件の成立に基づいて、遊技者に有利な特別遊技が実行される特別遊技状態に移行させるか否かの判定を行う判定手段と、
前記判定手段での判定結果に基づいて遊技の進行を制御する主制御手段と、
遊技者が所定の操作手段に対して所定操作を行った場合に、複数の選択主体演出から特定選択主体演出を決定して表示する主体演出表示手段と、
前記特別遊技、及び前記判定結果を報知する報知遊技において遊技演出を実行する演出手段と、
前記遊技演出を前記演出手段に実行させる演出実行手段と、
を備え、
前記遊技演出は、前記特別遊技で実行される画像遊技演出として、前記特定選択主体演出に対応した主体を用いて表示され、前記特別遊技の開始時に表示タイミングが設定される特定主体画像演出と、前記特別遊技で表示される所定の遊技画像演出よりも前面側に表示されることで前記所定の遊技画像演出の視認を阻害する視認阻害画像演出と、を含み、
前記視認阻害画像演出は、当該特別遊技に対する前記判定手段での判定結果とは異なる所定の条件が、当該特別遊技の実行中に成立する場合に表示され、前記特別遊技の開始時に表示タイミングが設定されない画像演出であり、
所定の特別遊技状態において、前記特定主体画像演出と前記視認阻害画像演出とが重複されることなく異なるタイミングで表示されるように前記視認阻害画像演出が設定され、
前記主体演出表示手段は、前記判定結果を報知する所定の報知遊技の終了後に特定の条件が成立する場合に遊技者が前記所定の操作手段に対して前記所定操作を行った場合に、前記複数の選択主体演出から前記特定選択主体演出を決定して表示し、
前記視認阻害画像演出は、出玉数が特定数に達したことを遊技者に報知する特定数出玉表示画像演出であり、
前記特別遊技は、遊技者に遊技価値を付与する遊技価値付与遊技と、当該特別遊技の開始から前記遊技価値付与遊技が開始されるまでの期間に実行されるオープニングと、を含み、
前記特定主体画像演出の表示タイミングが前記オープニングに設定される場合、前記視認阻害画像演出が前記遊技価値付与遊技で表示されることを特徴とする遊技機。
【手続補正書】
【提出日】令和2年7月17日(2020.7.17)
【手続補正１】
【補正対象書類名】特許請求の範囲
【補正対象項目名】全文
【補正方法】変更
【補正の内容】
【特許請求の範囲】
【請求項１】
遊技を行う遊技機において、
プログラムを記憶可能な記憶領域を有する記憶手段と、
記憶手段に記憶されたプログラムに基づいて制御を行う制御手段と、
データを一時的に記憶可能な記憶領域を有する一時記憶手段と、
信号を出力するための複数の出力ポートと、
複数の出力ポートを初期化する初期化手段とを備え、
前記記憶手段の記憶領域は、
第１プログラムが記憶される第１プログラム領域と、
前記第１プログラムによって呼び出される第２プログラムが記憶される第２プログラム領域と、
を含み、
前記一時記憶手段の記憶領域は、
前記第１プログラムが用いる第１データが読み出し及び書き込み可能に記憶される第１データ領域と、
前記第２プログラムが用いる第２データが読み出し及び書き込み可能に記憶される第２データ領域と、
を含み、
前記第１データ領域の初期化は前記第１プログラムから行い、
前記第２データ領域の初期化は前記第２プログラムから行い、
前記初期化手段は、電力供給が停止されたことにもとづいて複数の出力ポートを初期化するときと電力供給が開始されたことにもとづいて複数の出力ポートを初期化するときとにおいて複数の出力ポートを異なる順序により初期化する
ことを特徴とする遊技機。
【手続補正２】
【補正対象書類名】明細書
【補正対象項目名】０００７
【補正方法】変更
【補正の内容】
【０００７】
（Ａ）  遊技を行う遊技機において、
プログラムを記憶可能な記憶領域を有する記憶手段と、
記憶手段に記憶されたプログラムに基づいて制御を行う制御手段と、
データを一時的に記憶可能な記憶領域を有する一時記憶手段と、
信号を出力するための複数の出力ポートと、
複数の出力ポートを初期化する初期化手段とを備え、
前記記憶手段の記憶領域は、
第１プログラムが記憶される第１プログラム領域と、
前記第１プログラムによって呼び出される第２プログラムが記憶される第２プログラム領域と、
を含み、
前記一時記憶手段の記憶領域は、
前記第１プログラムが用いる第１データが読み出し及び書き込み可能に記憶される第１データ領域と、
前記第２プログラムが用いる第２データが読み出し及び書き込み可能に記憶される第２データ領域と、
を含み、
前記第１データ領域の初期化は前記第１プログラムから行い、
前記第２データ領域の初期化は前記第２プログラムから行い、
前記初期化手段は、電力供給が停止されたことにもとづいて複数の出力ポートを初期化するときと電力供給が開始されたことにもとづいて複数の出力ポートを初期化するときとにおいて複数の出力ポートを異なる順序により初期化する。
他の遊技機は、
遊技を行う遊技機（例えば、スロットマシン１）において、
信号を出力するための複数の出力ポート（例えば、出力ポート０〜出力ポート９）と、
複数の出力ポートを初期化する初期化手段（例えば、メイン制御部４１）とを備え、
前記初期化手段は、第１所定条件の成立（例えば、電断時）により複数の出力ポートを
初期化するときと第２所定条件の成立（例えば、起動時）により複数の出力ポートを初期
化するときとにおいて複数の出力ポートを異なる順序により初期化する（例えば、図１１
の処理を行う部分、図２５のＳｋ４〜Ｓｋ１１の処理を行う部分）。
この構成によれば、初期化するときの状況に応じて適切に出力ポートの初期化を実行す
ることができる。
【手続補正書】
【提出日】令和2年7月17日(2020.7.17)
【手続補正１】
【補正対象書類名】特許請求の範囲
【補正対象項目名】全文
【補正方法】変更
【補正の内容】
【特許請求の範囲】
【請求項１】
遊技を行う遊技機において、
プログラムを記憶可能な記憶領域を有する記憶手段と、
記憶手段に記憶されたプログラムに基づいて制御を行う制御手段と、
データを一時的に記憶可能な記憶領域を有する一時記憶手段と、
信号を出力するための複数の出力ポートと、
複数の出力ポートの出力状態を初期化する初期化手段と、
出力ポートの出力状態を特定可能な出力状態データを記憶するポート出力バッファと、
を備え、
前記記憶手段の記憶領域は、
第１プログラムが記憶される第１プログラム領域と、
前記第１プログラムによって呼び出される第２プログラムが記憶される第２プログラム領域と、
を含み、
前記一時記憶手段の記憶領域は、
前記第１プログラムが用いる第１データが読み出し及び書き込み可能に記憶される第１データ領域と、
前記第２プログラムが用いる第２データが読み出し及び書き込み可能に記憶される第２データ領域と、
を含み、
前記第１データ領域の初期化は前記第１プログラムから行い、
前記第２データ領域の初期化は前記第２プログラムから行い、
出力ポートより特定信号を出力するときは、前記ポート出力バッファに記憶される前記出力状態データを更新し、該ポート出力バッファに記憶された該出力状態データにもとづいて、出力ポートの出力状態を更新し、
前記初期化手段による初期化によって出力ポートの出力状態を初期化するときは、前記ポート出力バッファが記憶している前記出力状態データを更新せずに出力ポートの出力状態を初期化し、
前記初期化手段は、所定条件が成立したときに、複数の出力ポートのうち第１出力ポートについては一の出力ポートの出力状態のみを初期化する初期化命令により初期化し、複数の出力ポートのうち第２出力ポートおよび第３出力ポートについては複数の出力ポートの出力状態を初期化する初期化命令により初期化する
ことを特徴とする遊技機。
【手続補正２】
【補正対象書類名】明細書
【補正対象項目名】０００７
【補正方法】変更
【補正の内容】
【０００７】
（Ａ）  遊技を行う遊技機において、
プログラムを記憶可能な記憶領域を有する記憶手段と、
記憶手段に記憶されたプログラムに基づいて制御を行う制御手段と、
データを一時的に記憶可能な記憶領域を有する一時記憶手段と、
信号を出力するための複数の出力ポートと、
複数の出力ポートの出力状態を初期化する初期化手段と、
出力ポートの出力状態を特定可能な出力状態データを記憶するポート出力バッファと、
を備え、
前記記憶手段の記憶領域は、
第１プログラムが記憶される第１プログラム領域と、
前記第１プログラムによって呼び出される第２プログラムが記憶される第２プログラム領域と、
を含み、
前記一時記憶手段の記憶領域は、
前記第１プログラムが用いる第１データが読み出し及び書き込み可能に記憶される第１データ領域と、
前記第２プログラムが用いる第２データが読み出し及び書き込み可能に記憶される第２データ領域と、
を含み、
前記第１データ領域の初期化は前記第１プログラムから行い、
前記第２データ領域の初期化は前記第２プログラムから行い、
出力ポートより特定信号を出力するときは、前記ポート出力バッファに記憶される前記出力状態データを更新し、該ポート出力バッファに記憶された該出力状態データにもとづいて、出力ポートの出力状態を更新し、
前記初期化手段による初期化によって出力ポートの出力状態を初期化するときは、前記ポート出力バッファが記憶している前記出力状態データを更新せずに出力ポートの出力状態を初期化し、
前記初期化手段は、所定条件が成立したときに、複数の出力ポートのうち第１出力ポートについては一の出力ポートの出力状態のみを初期化する初期化命令により初期化し、複数の出力ポートのうち第２出力ポートおよび第３出力ポートについては複数の出力ポートの出力状態を初期化する初期化命令により初期化する。
その他の遊技を行う遊技機（例えば、スロットマシン１）において、
信号を出力するための複数の出力ポート（例えば、出力ポート０〜出力ポート９）と、
複数の出力ポートを初期化する初期化手段（例えば、メイン制御部４１）とを備え、
前記初期化手段は、所定条件が成立したときに（例えば、起動時、電断時）、複数の出力ポートのうち第１出力ポートについては一の出力ポートのみを初期化する初期化命令により初期化し、複数の出力ポートのうち第２出力ポートおよび第３出力ポートについては複数の出力ポートを初期化する初期化命令により初期化する（例えば、図１１の処理を行う部分、図２５のＳｋ４〜Ｓｋ１１の処理を行う部分）。
この構成によれば、出力ポートから出力される出力情報の内容に応じて適切に出力ポートの初期化することができる。
【手続補正書】
【提出日】令和2年7月17日(2020.7.17)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を複数備え、前記可変表示部を変動表示した後、前記可変表示部の変動表示を停止することで表示結果を導出し、複数の可変表示部の表示結果の組合せである表示結果組合せに応じて入賞が発生可能なスロットマシンにおいて、
表示結果が導出される前に、第１特別表示結果組合せと第２特別表示結果組合せとを含む表示結果組合せについて導出を許容する表示結果組合せを決定する事前決定手段と、
前記事前決定手段の決定結果に応じて前記可変表示部に表示結果を導出させる導出制御手段と、
前記可変表示部に表示結果を導出させる際に操作される導出操作手段と、
前記第１特別表示結果組合せまたは前記第２特別表示結果組合せが導出されたときに遊技者にとって有利な有利状態に制御する有利状態制御手段とを備え、
前記第１特別表示結果組合せと前記第２特別表示結果組合せとは、少なくとも１つの前記可変表示部における表示結果が共通な共通表示結果を含むとともに、他の前記可変表示部における表示結果が異なり、
前記第１特別表示結果組合せが導出されたときと前記第２特別表示結果組合せが導出されたときとにおいて前記有利状態における有利度が異なり、
前記事前決定手段により前記第１特別表示結果組合せを導出すると決定されているゲームの開始時において前記第１特別表示結果組合せに含まれる表示結果のうち共通表示結果を示唆する情報を報知してから遅延期間が経過した後に、前記事前決定手段により導出すると決定されている前記第１特別表示結果組合せに含まれる表示結果のうち報知を行っていない残りの表示結果を示唆する情報を報知する第１報知制御と、前記事前決定手段により前記第１特別表示結果組合せを導出すると決定されているゲームの開始時において前記第１特別表示結果組合せに含まれる各表示結果を示唆する情報を同時に報知する第２報知制御とを実行可能な報知手段をさらに備え、
前記報知手段は、
前記導出操作手段の操作が有効化される前に前記第１導出制御または前記第２導出制御の実行を開始し、
前記事前決定手段により前記第１特別表示結果組合せを導出すると決定されている場合、前記第１特別表示結果組合せが導出されるまでの第１ゲームにおいて前記第１報知制御を実行し、該第１報知制御を実行した該第１ゲームの後、前記第１特別表示結果組合せが導出されるまでの第２ゲームにおいて前記第２報知制御を実行する
ことを特徴とするスロットマシン。
【手続補正２】
【補正対象書類名】明細書
【補正対象項目名】０００８
【補正方法】変更
【補正の内容】
【０００８】
上記課題を解決するために、本発明のスロットマシンは、  各々が識別可能な複数種類の識別情報を変動表示可能な可変表示部を複数備え、前記可変表示部を変動表示した後、前記可変表示部の変動表示を停止することで表示結果を導出し、複数の可変表示部の表示結果の組合せである表示結果組合せに応じて入賞が発生可能なスロットマシン（例えば、スロットマシン１）において、  表示結果が導出される前に、第１特別表示結果組合せ（例えば、「赤７−赤７−赤７」）と第２特別表示結果組合せ（例えば、「赤７−赤７−白７」）とを含む表示結果組合せについて導出を許容する表示結果組合せを決定する事前決定手段（例えば、メイン制御部）と、  前記事前決定手段の決定結果に応じて前記可変表示部に表示結果を導出させる導出制御手段（例えば、メイン制御部）と、
前記可変表示部に表示結果を導出させる際に操作される導出操作手段と、
前記第１特別表示結果組合せまたは前記第２特別表示結果組合せが導出されたときに遊技者にとって有利な有利状態（例えば、ＢＢまたはＲＢ）に制御する有利状態制御手段（例えば、メイン制御部）とを備え、  前記第１特別表示結果組合せと前記第２特別表示結果組合せとは、少なくとも１つの前記可変表示部における表示結果が共通な共通表示結果を含むとともに、他の前記可変表示部における表示結果が異なり、  前記第１特別表示結果組合せが導出されたときと前記第２特別表示結果組合せが導出されたときとにおいて前記有利状態における有利度が異なり、  前記事前決定手段により前記第１特別表示結果組合せを導出すると決定されているゲームの開始時において前記第１特別表示結果組合せに含まれる表示結果のうち共通表示結果を示唆する情報を報知してから遅延期間が経過した後に、前記事前決定手段により導出すると決定されている前記第１特別表示結果組合せに含まれる表示結果のうち報知を行っていない残りの表示結果を示唆する情報を報知する第１報知制御と、前記事前決定手段により前記第１特別表示結果組合せを導出すると決定されているゲームの開始時において前記第１特別表示結果組合せに含まれる各表示結果を示唆する情報を同時に報知する第２報知制御とを実行可能な報知手段（例えば、図２に示す部分）をさらに備え、 前記報知手段は、前記導出操作手段の操作が有効化される前に前記第１導出制御または前記第２導出制御の実行を開始し、前記事前決定手段により前記第１特別表示結果組合せを導出すると決定されている場合、前記第１特別表示結果組合せが導出されるまでの第１ゲームにおいて前記第１報知制御を実行し、該第１報知制御を実行した該第１ゲームの後、前記第１特別表示結果組合せが導出されるまでの第２ゲームにおいて前記第２報知制御を実行する。  この構成によれば、特別役に当選したときの表示結果組合せの報知に対して遊技者の注目度を高めることができる。
【手続補正書】
【提出日】令和2年7月17日(2020.7.17)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
音を出力する音出力手段と、
第１操作部及び第２操作部により、前記音出力手段により出力される出力音量を設定可能な設定手段と、
所定楽曲の出力を行っている期間に、遊技者により遊技がなされていない状態が所定期間経過した場合に、前記音出力手段により出力される出力音量を低下させる音量低下制御を行う制御手段と、
を備え、
前記第１操作部により設定された設定内容は、前記第１操作部の態様により特定不能であり、
前記第２操作部により設定された設定内容は、前記第２操作部の態様により特定可能であり、
前記第1操作部により出力音量が設定された場合には操作音を出力し、
前記第２操作部により出力音量が設定された場合には操作音を出力せず、
前記制御手段は、音量低下制御中に設定されている出力音量と異なる出力音量が前記第１操作部により設定された場合には音量低下制御を終了し、音量低下制御中に設定されている出力音量と異なる出力音量が前記第２操作部により設定された場合には音量低下制御を継続することを特徴とする遊技機。
【手続補正２】
【補正対象書類名】明細書
【補正対象項目名】０００７
【補正方法】変更
【補正の内容】
【０００７】
（Ａ）遊技を行うことが可能な遊技機であって、
音を出力する音出力手段と、
第１操作部及び第２操作部により、前記音出力手段により出力される出力音量を設定可能な設定手段と、
所定楽曲の出力を行っている期間に、遊技者により遊技がなされていない状態が所定期間経過した場合に、前記音出力手段により出力される出力音量を低下させる音量低下制御を行う制御手段と、
を備え、
前記第１操作部により設定された設定内容は、前記第１操作部の態様により特定不能であり、
前記第２操作部により設定された設定内容は、前記第２操作部の態様により特定可能であり、
前記第1操作部により出力音量が設定された場合には操作音を出力し、
前記第２操作部により出力音量が設定された場合には操作音を出力せず、
前記制御手段は、音量低下制御中に設定されている出力音量と異なる出力音量が前記第１操作部により設定された場合には音量低下制御を終了し、音量低下制御中に設定されている出力音量と異なる出力音量が前記第２操作部により設定された場合には音量低下制御を継続する。
（１）遊技を行うことが可能な遊技機（例えば、スロットマシン１、パチンコ遊技機）
であって、
音を出力する音出力手段（例えば、スピーカ５３、５４等）と、
第１操作部（例えば、十字キー５８、出力音量を大きくするボタンと小さくするボタン
とで構成される操作部等）及び第２操作部（例えば、音量調整器５７等）により、前記音
出力手段により出力される出力音量を設定可能な設定手段（例えば、サブ制御部９１等）
と、
所定の条件が成立した場合に、前記音出力手段により出力される出力音量を低下させる
音量低下制御を行う制御手段（例えば、サブ制御部９１等）と、
を備え、
前記第１操作部により設定された設定内容は、前記第１操作部の態様により特定不能で
あり、
前記第２操作部により設定された設定内容は、前記第２操作部の態様により特定可能（
例えば、音量調整器５７のツマミの回転位置により特定可能等）であり、
前記制御手段は、音量低下制御中に前記第１操作部により出力音量が設定された場合に
は音量低下制御を終了し（例えば、図７のＳｑ１４等）、音量低下制御中に前記第２操作
部により出力音量が設定された場合には音量低下制御を継続する（例えば、図７のＳｑ１
６で肯定判定されても、Ｓｑ１５で設定値が反映されるにとどまり、低下制御は継続する
等）ことを特徴とする遊技機。
【手続補正書】
【提出日】令和2年4月1日(2020.4.1)
【手続補正１】
【補正対象書類名】特許請求の範囲
【補正対象項目名】全文
【補正方法】変更
【補正の内容】
【特許請求の範囲】
【請求項１】
放射線を発生させる放射線発生部と、前記放射線発生部から照射された放射線を検出する放射線検出部と、前記放射線発生部と前記放射線検出部とを対向させた状態で回転させる回転部とを有する放射線撮影装置であって、
前記放射線発生部、及び前記放射線検出部の位置を検出する位置検出部と、
前記放射線検出部から出力される信号に基づいて、被写体の三次元情報を再構成した放射線画像を生成する演算部と、を有し、
前記演算部は、前記位置検出部により検出された前記放射線発生部および前記放射線検出部の位置情報を用いて、前記放射線検出部から出力される信号を補正して前記放射線画像を生成する
ことを特徴とする放射線撮影装置。
【請求項２】
前記回転部は、回転中心の回りに前記放射線発生部と前記放射線検出部とを回転させ、
前記位置検出部は、前記回転中心に対する、前記放射線発生部の位置および前記放射線検出部の位置を検出することを特徴とする請求項１に記載の放射線撮影装置。
【請求項３】
前記演算部は、前記被写体の撮影時に、前記回転中心に対して予め定められた前記放射線発生部の回転半径および前記放射線検出部の回転半径と、前記位置検出部により検出された位置とに基づいて、前記放射線検出部から出力される信号を補正することを特徴とする請求項２に記載の放射線撮影装置。
【請求項４】
前記演算部は、前記放射線検出部から出力される信号の補正として、前記予め定められた前記放射線発生部の回転半径および前記放射線検出部の回転半径と、前記位置検出部により検出された位置とに基づいて、前記放射線検出部における撮像素子の位置補正を行うことを特徴とする請求項３に記載の放射線撮影装置。
【請求項５】
前記演算部は、前記位置補正の後の放射線画像に対して再構成フィルタ処理を行い、再構成フィルタ処理後の放射線画像を逆投影することによって、前記被写体の三次元情報を再構成した放射線画像を生成することを特徴とする請求項４に記載の放射線撮影装置。
【請求項６】
前記位置検出部は前記放射線撮影装置に対して着脱可能に構成されており、
前記位置検出部は、前記放射線撮影装置に装着された状態で、前記放射線発生部、及び前記放射線検出部の位置を検出することを特徴とする請求項１に記載の放射線撮影装置。
【請求項７】
入力部からの操作入力により、撮影条件を設定する撮影条件設定部を更に有し、
前記撮影条件設定部は、前記操作入力に基づいて、前記放射線撮影装置が設置されている撮影環境における少なくとも一つの環境温度の情報または複数の環境温度の情報を前記撮影条件として設定することを特徴とする請求項２または３に記載の放射線撮影装置。
【請求項８】
前記演算部は、前記被写体の撮影前において、前記回転中心に対して予め定められた前記放射線発生部の回転半径と、前記位置検出部により検出された前記放射線発生部の位置との誤差を最小にする第１の補正パラメータを演算し、
前記第１の補正パラメータを用いて前記放射線発生部の位置を近似することを特徴とする請求項７に記載の放射線撮影装置。
【請求項９】
前記演算部は、前記被写体の撮影前において、前記回転中心に対して予め定められた前記放射線検出部の回転半径と、前記位置検出部により検出された前記放射線検出部の位置との誤差を最小にする第２の補正パラメータを演算し、
前記第２の補正パラメータを用いて前記放射線検出部の位置を近似することを特徴とする請求項８に記載の放射線撮影装置。
【請求項１０】
前記演算部は、前記設定された環境温度ごとに演算された前記第１の補正パラメータを用いて前記放射線発生部の位置を近似し、前記設定された環境温度ごとに演算された前記第２の補正パラメータを用いて前記放射線検出部の位置を近似することを特徴とする請求項９に記載の放射線撮影装置。
【請求項１１】
前記演算部は、前記近似した放射線発生部の位置および前記放射線検出部の位置を用いて、前記放射線検出部から出力される信号を補正して前記放射線画像を生成することを特徴とする請求項１０に記載の放射線撮影装置。
【請求項１２】
前記演算部は、前記放射線検出部から出力される信号の補正として、前記第１の補正パラメータを用いて近似した放射線発生部の位置と、前記第２の補正パラメータを用いて近似した放射線検出部の位置とを用いて、前記放射線検出部における撮像素子の位置補正を行うことを特徴とする請求項９乃至１１のいずれか１項に記載の放射線撮影装置。
【請求項１３】
入力部からの操作入力により、前記放射線撮影装置における撮影方法を選択する選択部を更に有し、
前記選択部は、
前記被写体の撮影時に、前記位置検出部により検出された、前記放射線発生部、及び前記放射線検出部の位置を用いて、前記放射線検出部から出力される信号を補正する第１の補正モードによる撮影方法、または、
前記被写体の撮影前に、前記演算された前記第１の補正パラメータを用いて近似した前記放射線発生部の位置と前記第２の補正パラメータを用いて近似した前記放射線検出部の位置とを用いて、前記放射線検出部から出力される信号を補正する第２の補正モードによる撮影方法、を選択する
ことを特徴とする請求項９乃至１２のいずれか１項に記載の放射線撮影装置。
【請求項１４】
前記生成された放射線画像を表示部に表示する画像表示部を更に有し、
前記画像表示部は、前記放射線画像の表示と前記選択された撮影方法の表示とを組み合せて前記表示部に表示することを特徴とする請求項１３に記載の放射線撮影装置。
【請求項１５】
放射線を発生させる放射線発生部と、前記放射線発生部から照射された放射線を検出する放射線検出部と、前記放射線発生部と前記放射線検出部とを対向させた状態で回転させる回転部とを有する放射線撮影装置における放射線撮影方法であって、
前記放射線発生部および前記放射線検出部の位置を検出する位置検出工程と、
前記放射線検出部から出力される信号に基づいて、被写体の三次元情報を再構成した放射線画像を生成する演算工程と、を有し、
前記演算工程では、前記位置検出工程で検出された前記放射線発生部および前記放射線検出部の位置情報を用いて、前記放射線検出部から出力される信号を補正して前記放射線画像を生成する
ことを特徴とする放射線撮影方法。
【請求項１６】
コンピュータに、請求項１５に記載の放射線撮影方法の工程を実行させるためのプログラム。
【手続補正書】
【提出日】令和2年4月1日(2020.4.1)
【手続補正１】
【補正対象書類名】特許請求の範囲
【補正対象項目名】全文
【補正方法】変更
【補正の内容】
【特許請求の範囲】
【請求項１】
第１の変位部材、第２の変位部材および固定部材を備える発電素子であって、
前記第１の変位部材と前記第２の変位部材は、第１の弾性変形体を介して接続され、
前記第１の変位部材と前記固定部材は、第２の弾性変形体を介して接続され、
前記第１の変位部材は、前記第２の変位部材を取り囲む第１の枠状構造体として構成され、
前記固定部材は、前記第１の枠状構造体を取り囲む第２の枠状構造体として構成され、
前記第１の枠状構造体の外面の少なくとも一部にはエレクトレット材料層および対向電極層の一方が設けられ、前記第２の枠状構造体の内面の少なくとも一部にはエレクトレット材料層および対向電極層の他方が設けられていることを特徴とする発電素子。
【請求項２】
前記第１の枠状構造体は、
第１の変位内面と、
前記第１の変位内面に対向する第２の変位内面と、
前記第１の変位内面と前記第２の変位内面とを接続する接続内面と、
前記第１の変位内面と反対側の第１の変位外面と、
前記第２の変位内面と反対側の第２の変位外面と、
前記第１の変位外面と前記第２の変位外面とを接続する接続外面と、を有し、
前記第２の枠状構造体は、
前記第１の変位外面に対向する第１の固定内面と、
前記第２の変位外面に対向する第２の固定内面と、を有し、
前記第１の変位外面にはエレクトレット材料層および対向電極層の一方が設けられ、前記第１の固定内面にはエレクトレット材料層および対向電極層の他方が設けられていることを特徴とする請求項１に記載の発電素子。
【請求項３】
前記第１の変位外面には、第１の変位凸部が設けられ、
前記第１の固定内面には、第１の固定凸部が設けられ、
前記第１の変位凸部にはエレクトレット材料層および対向電極層の一方が設けられ、前記第１の固定凸部にはエレクトレット材料層および対向電極層の他方が設けられていることを特徴とする請求項２に記載の発電素子。
【請求項４】
前記第２の変位外面にはエレクトレット材料層および対向電極層の一方が設けられ、前記第２の固定内面にはエレクトレット材料層および対向電極層の他方が設けられていることを特徴とする請求項２または３に記載の発電素子。
【請求項５】
前記第２の変位外面には、第２の変位凸部が設けられ、
前記第２の固定内面には、第２の固定凸部が設けられ、
前記第２の変位凸部にはエレクトレット材料層および対向電極層の一方が設けられ、前記第２の固定凸部にはエレクトレット材料層および対向電極層の他方が設けられていることを特徴とする請求項４に記載の発電素子。
【請求項６】
第１の変位部材、第２の変位部材および固定部材を備える発電素子であって、
前記第１の変位部材と前記第２の変位部材は、第１の弾性変形体を介して接続され、
前記第１の変位部材と前記固定部材は、第２の弾性変形体を介して接続され、
前記第１の変位部材は、前記第２の変位部材を取り囲む第１の枠状構造体として構成され、
前記第２の変位部材は、板状構造体により構成され、
前記固定部材は、前記第１の枠状構造体を取り囲む第２の枠状構造体として構成され、
前記固定部材は、前記板状構造体の変位面に対向する側面を有する柱部を有し、
前記板状構造体の前記変位面にはエレクトレット材料層および対向電極層の一方が設けられ、前記柱部の前記側面にはエレクトレット材料層および対向電極層の他方が設けられていることを特徴とする発電素子。
【請求項７】
前記板状構造体の前記変位面には変位凸部が設けられ、
前記変位凸部の頂面と前記柱部の前記側面とは対向しており、これら対向面のうち、一方にはエレクトレット材料層が設けられ、他方には対向電極層が設けられていることを特徴とする請求項６に記載の発電素子。
【請求項８】
第１の変位部材、第２の変位部材および固定部材を備える発電素子であって、
前記第１の変位部材と前記第２の変位部材は、第１の弾性変形体を介して接続され、
前記第１の変位部材と前記固定部材は、第２の弾性変形体を介して接続され、
前記第１の変位部材は第１の発電面を有し、前記固定部材は前記第１の発電面に対向する第２の発電面を有し、
前記第１の発電面および前記第２の発電面のうち、一方の面にはエレクトレット材料層が設けられ、他方の面には対向電極層が設けられ、
前記第１の変位部材は、前記第２の変位部材を取り囲む第１の枠状構造体として構成され、
前記固定部材は、前記第１の枠状構造体を取り囲む第２の枠状構造体として構成され、
前記第２の枠状構造体には前記第１の枠状構造体に向かって突出するストッパ突起が設けられていることを特徴とする発電素子。
【請求項９】
前記第２の変位部材には重錘体が接合されていることを特徴とする請求項１〜８のいずれかに記載の発電素子。
【手続補正書】
【提出日】令和2年3月31日(2020.3.31)
【手続補正１】
【補正対象書類名】特許請求の範囲
【補正対象項目名】全文
【補正方法】変更
【補正の内容】
【特許請求の範囲】
【請求項１】
動力線あるいはエア配管を含むケーブルを覆い保護するとともに、その両端に大径のつば部を備えて成る配線ダクトを固定する支持金具において、
前記つば部の一端側に接触する当接部と、前記つば部の全長よりも若干短い寸法から成りつば部に沿うよう配されたガイド部と備え、前記当接部によりつば部を軸方向へ常時押圧して成ることを特徴とする支持金具。
【請求項２】
前記当接部および前記ガイド部は、一体成形されて成り、
前記ガイド部は、その端部にこれと一体かつ前記当接部と平行に延びるねじ止め部を備えて成り、
前記ねじ止め部は、これに配された挿通穴に取付ねじを挿通可能とし当該取付ねじに螺着されて成ることを特徴とする請求項１に記載の支持金具。
【請求項３】
前記当接部および前記ガイド部は、分割成形されて成り、
前記当接部は、平板にＵ字状の切欠きを備える一方、
前記ガイド部は、一端に前記当接部を当接して載置する中空支柱から成り、
前記当接部および前記中空支柱は、これらを挿通した取付ねじによって螺着されて成り、前記取付ねじの当該軸力により前記つば部を軸方向へ押圧して成ることを特徴とする請求項１に記載の支持金具。
【請求項４】
前記配線ダクトは、軸方向へ延び前記つば部を両端に備えて成る管本体から成り、
前記管本体は、その全長に渡り外周を分断して成る割部を備えて成り、
当該管本体のつば部を固定支持して成ることを特徴とする請求項１ないし請求項３の何れかに記載の支持金具。
【請求項５】
所定の作業を実行する作業ツールと、この作業ツールを配置し旋回自在に支持して成るアームと、このアームから前記作業ツールへ渡された前記ケーブルを挿通して成る前記配線ダクトと、この配線ダクトの両端をねじ止めにより固定して成る支持金具とを備えて成る旋回ロボットにおいて、
前記支持金具は、請求項１ないし４の何れかに記載された構成を成すことを特徴とする旋回ロボット。
【請求項６】
前記支持金具は、前記配線ダクトの一端を前記アームの旋回に併せて旋回させて回転自在に支持して成る旋回ブラケットに固定されて成ることを特徴とする請求項５に記載の旋回ロボット。
【請求項７】
前記旋回ブラケットは、前記作業ツールの上端よりも下方に配され、これに旋回自在に固定した前記配線ダクトを当該旋回ブラケットよりも上方へ張り出さないよう取り付けて成ることを特徴とする請求項５または請求項６に記載の旋回ロボット。
【手続補正２】
【補正対象書類名】明細書
【補正対象項目名】００１２
【補正方法】変更
【補正の内容】
【００１２】
本発明は、上述した課題を解決することを目的としており、動力線あるいはエア配管を含むケーブルを覆い保護するとともに、その両端に大径のつば部を備えて成る配線ダクトを固定する支持金具において、前記つば部の一端側に接触する当接部と、前記つば部の全長よりも若干短い寸法から成りつば部に沿うよう配されたガイド部と備え、前記当接部によりつば部を軸方向へ常時押圧して成ることを特徴とする。なお、前記当接部および前記ガイド部は、一体成形されて成り、前記ガイド部は、その端部にこれと一体かつ前記当接部と平行に延びるねじ止め部を備えて成り、前記ねじ止め部は、これに配された挿通穴に取付ねじを挿通可能とし当該取付ねじに螺着されて成るか、または、前記当接部および前記ガイド部は、分割成形されて成り、前記当接部は、平板にＵ字状の切欠きを備える一方、前記ガイド部は、一端に前記当接部を当接して載置する中空支柱から成り、前記当接部および前記中空支柱は、これらを挿通した取付ねじによって螺着されて成り、前記取付ねじの当該軸力により前記つば部を軸方向へ押圧して成ることが望ましい。さらに、前記配線ダクトは、軸方向へ延び前記つば部を両端に備えて成る管本体から成り、前記管本体は、その全長に渡り外周を分断して成る割部を備えて成り、当該管本体のつば部を固定支持して成ることが好ましい。
【手続補正３】
【補正対象書類名】明細書
【補正対象項目名】００２３
【補正方法】変更
【補正の内容】
【００２３】
次に、図３（ａ），（ｂ）に示す支持金具３０は、Ｕ字状の切欠きを備え前記つば部１１の上面に当接する当接部３１と、前記つば部１１に沿って延びるガイド部３２とを備え、これら当接部３１およびガイド部３２は分割成形され別部品で構成される。前記当接部３１は、平板に前記切欠きを加工し成形されて成る一方、前記ガイド部３２は、前記取付ねじのねじ部を挿通可能な中空支柱を成す。また、前記ガイド部は、２本配置されており、その全長が前記つば部１１の全長よりも若干短い寸法に設定されて成る。これにより、前記配線ダクト１０は、上述した支持金具２０と同様に当該支持金具３０に常時軸方向へ付勢される。
【手続補正書】
【提出日】令和2年2月10日(2020.2.10)
【手続補正１】
【補正対象書類名】特許請求の範囲
【補正対象項目名】全文
【補正方法】変更
【補正の内容】
【特許請求の範囲】
【請求項１】
一次コイルと二次コイルとを含むトランスと、前記トランスの二次コイルに並列に接続された共振コンデンサとを含み、磁界を発生するトランスアンテナと、
前記トランスアンテナの一次コイルに駆動電圧として交流電圧を供給する交流電源回路と、を備え、
前記二次コイルと前記共振コンデンサで構成される並列共振回路の共振周波数が、前記交流電源回路から供給される交流電圧の周波数と等しく設定され、
前記交流電源回路は、直流電圧を出力する直流電源と、前記直流電圧を所定の周波数の矩形波交流電圧に変換し、出力する駆動回路とを含む、
磁界発生回路。
【請求項２】
前記交流電源回路は正弦波交流電圧を出力する回路である、請求項１記載の磁界発生回路。
【請求項３】
前記駆動回路は、ハーフブリッジ回路、フルブリッジ回路、ダブルフォワード回路またはプッシュプル回路である
請求項１記載の磁界発生回路。
【請求項４】
前記駆動回路は、前記直流電源の高圧側出力端と低圧側出力端との間に直列に接続された高圧側スイッチ素子及び低圧側スイッチ素子と、前記高圧側及び／または低圧側スイッチ素子と前記一次コイルとの間に挿入されたバイパスコンデンサとを含むハーフブリッジ回路であり、
前記高圧側及び／または低圧側スイッチ素子にカソードが接続され、前記一次コイルにアノードが接続されるように、前記バイパスコンデンサに並列にダイオードが接続された、
請求項１に記載の磁界発生回路。
【請求項５】
前記駆動回路は、オンデューティ比が１０％〜４５％の範囲内で駆動される、請求項３または４記載の磁界発生回路。
【請求項６】
前記直流電源からの直流電圧を受けて、前記駆動回路へ出力する直流電圧を調整する電圧調整回路をさらに備えた、請求項１、３〜５のいずれかに記載の磁界発生回路。
【請求項７】
前記二次コイルに流れる共振電流を検出するための電流検出用抵抗をさらに備え、
前記電圧調整回路は、前記電流検出用抵抗による検出値に基づき前記駆動回路へ出力する直流電圧を制御する、
請求項６記載の磁界発生回路。
【請求項８】
前記駆動回路は、前記直流電源の高圧側出力端と低圧側出力端との間に直列に接続された高圧側スイッチ素子と低圧側スイッチ素子と、前記高圧側及び低圧側スイッチ素子を駆動するゲート駆動回路とを備え、
前記ゲート駆動回路は、前記駆動回路による磁界発生動作の終了後、前記高圧側及び低圧側スイッチ素子のいずれかをオンして短絡させる、請求項１、３〜７のいずれかに記載の磁界発生回路。
【請求項９】
前記一次コイルの高圧側端と低圧側端との間に接続され、または、前記一次コイルの低圧側端とグランド電位間に接続されたスイッチと、前記スイッチを制御するスイッチ制御回路とをさらに備え、
前記スイッチ制御回路は、前記駆動回路による磁界発生動作の終了後、前記スイッチをオンして、前記一次コイルの高圧側端と低圧側端の間を短絡し、または、前記一次コイルの低圧側端をグランド電位に接続する
請求項１、３〜７のいずれかに記載の磁界発生回路。
【請求項１０】
前記駆動回路は、グランドノードと、グランドノードに一端が接続されたスイッチ素子と、トランスアンテナの一次巻線とを含む電流経路において、放電抵抗が直列に挿入された請求項７〜９のいずれかに記載の磁界発生回路。
【請求項１１】
一次コイルと二次コイルとを含む昇圧トランスと、
第３のコイルと、前記第３のコイルに並列接続された共振コンデンサとを含み、磁界を発生する並列共振コイルアンテナと、
前記昇圧トランスに駆動電圧として交流電圧を供給する交流電源回路と、を備え、
前記二次コイルと並列共振コイルアンテナで構成される共振回路の共振周波数が、前記交流電源回路から供給される交流電圧の周波数と等しく設定される、
磁界発生回路。
【請求項１２】
前記交流電源回路は正弦波交流電圧を出力する回路である、請求項１１記載の磁界発生回路。
【請求項１３】
第１のコイルと、
第２のコイルと、前記第２のコイルに並列接続された共振コンデンサとを含み、磁界を発生する並列共振コイルアンテナと、
前記並列共振コイルアンテナに駆動電圧として矩形波交流電圧を供給する交流電源回路と、を備え、
前記並列共振コイルアンテナの共振周波数が、前記交流電源回路から供給される交流電圧の周波数と等しく設定される、
磁界発生回路。
【請求項１４】
前記第１のコイルと前記第２のコイルは同一の閉磁路コアの外周に形成される、請求項１３記載の磁界発生回路。
【請求項１５】
前記交流電源回路は、直流電圧を出力する直流電源と、前記直流電圧を所定の周波数の矩形波交流電圧に変換し、出力する駆動回路とを含む、請求項１１または１４記載の磁界発生回路。
【請求項１６】
前記駆動回路は、ハーフブリッジ回路、フルブリッジ回路、ダブルフォワード回路またはプッシュプル回路である、
請求項１５記載の磁界発生回路。
【請求項１７】
前記駆動回路は、オンデューティ比が１０％〜４５％の範囲内で駆動される、請求項１６記載の磁界発生回路。
【手続補正書】
【提出日】令和2年7月17日(2020.7.17)
【手続補正１】
【補正対象書類名】特許請求の範囲
【補正対象項目名】全文
【補正方法】変更
【補正の内容】
【特許請求の範囲】
【請求項１】
遊技を行う遊技機であって、
演出のための操作に用いられる演出操作手段と、
前記演出操作手段の操作を促す促進演出を実行する促進手段と、
音を出力する音出力手段とを備え、
前記促進演出の実行中に前記演出操作手段が操作されたときに、特典に関する報知が行われ、
前記促進演出は、第１の促進演出と第２の促進演出とを含み、
前記第１の促進演出と前記第２の促進演出とで、遊技者に促す前記演出操作手段の操作方法が異なり、
前記第１の促進演出において第１促進音が出力されるときと前記第２の促進演出において第２促進音が出力されるときとで、前記特典が付与される割合が異なり、
前記促進手段は、前記演出操作手段および当該演出操作手段の近傍を含む、遊技機の少なくとも一部を示す画像を用いて促進演出を実行可能である、遊技機。
【手続補正２】
【補正対象書類名】明細書
【補正対象項目名】０００７
【補正方法】変更
【補正の内容】
【０００７】
（Ａ）  遊技を行う遊技機において、
演出のための操作に用いられる演出操作手段と、
前記演出操作手段の操作を促す促進演出を実行する促進手段と、
音を出力する音出力手段とを備え、
前記促進演出の実行中に前記演出操作手段が操作されたときに、特典に関する報知が行われ、
前記促進演出は、第１の促進演出と第２の促進演出とを含み、
前記第１の促進演出と前記第２の促進演出とで、遊技者に促す前記演出操作手段の操作方法が異なり、
前記第１の促進演出において第１促進音が出力されるときと前記第２の促進演出において第２促進音が出力されるときとで、前記特典が付与される割合が異なり、
前記促進手段は、前記演出操作手段および当該演出操作手段の近傍を含む、遊技機の少なくとも一部を示す画像を用いて促進演出を実行可能である。
（１）  遊技を行う遊技機（スロットマシン１、パチンコ遊技機）であって、
演出のための操作に用いられる演出操作手段（たとえば、スロットマシン１の演出用ス
イッチ５６、パチンコ遊技機の演出ボタン）と、
遊技を進行させるための操作に用いられる遊技進行操作手段（たとえば、スロットマシ
ン１のストップスイッチ８Ｌ，８Ｃ，８Ｒ、パチンコ遊技機の打球操作ハンドル）と、
前記演出操作手段の操作を促す第１促進演出（たとえば、図１２の時刻ｔ５〜ｔ６の液
晶表示器５１に示すように、演出用スイッチ５６の操作を促す演出、パチンコ遊技機にお
ける演出ボタンの操作を促す演出）を実行する第１促進手段（たとえば、サブ制御部９１
が第１促進演出を実行する処理）と、
前記遊技進行操作手段の操作を促す第２促進演出（たとえば、図１２の時刻ｔ２〜ｔ３
，ｔ４〜ｔ５の液晶表示器５１に示すようにストップスイッチ８Ｌ，８Ｃ，８Ｒの正解手
順をナビする演出、パチンコ遊技機における右打ちを指示する演出）を実行する第２促進
手段（たとえば、サブ制御部９１が第２促進演出を実行する処理）と、
音（たとえば、ＢＧＭ、図１０に示す第１促進音、第２促進音）を出力する音出力手段
（たとえば、サブ制御部９１がスピーカ５３，５４にＢＧＭ等を出力させる処理）とを備
え、
前記第１促進演出の実行中に前記演出操作手段が操作されたときに、特典（たとえば、
ナビストックの付与）に関する報知が行われ（たとえば、図１２の時刻ｔ５〜ｔ６の液晶
表示器５１に示すように、演出用スイッチ５６の操作を促す「ＰＵＳＨ！」という表示お
よび「このボタンを押せ！！」という音声出力がされたときに、演出用スイッチ５６を操
作すると、ナビストックの付与を示唆する「ＷＩＮ！」が画面上に表示される）、
前記音出力手段は、所定音（たとえば、ＢＧＭ）の出力中に前記第１促進演出が実行さ
れているときには、当該所定音の音量を小さくする（たとえば、図１２の時刻ｔ５〜ｔ６
に示すように、第１促進演出が実行されているときには、ＢＧＭの音量を小さくする）一
方で、前記所定音の出力中に前記第２促進演出が実行されているときには、当該所定音の
音量を維持する（たとえば、図１２の時刻ｔ２〜ｔ３，ｔ４〜ｔ５に示すように、第２促
進演出が実行されているときには、ＢＧＭの音量を維持する）。